(57)【要約】【課題】水切りを行うため専用の成形物を必要とせず、軒樋吊り支持具を設けた箇所の軒樋と鼻隠し板との間にも、軒樋からの跳ね返り水が入り込むことを抑制できる軒先の水切り構造を提案すること。【解決手段】本発明の軒先の水切り構造は、飛散防止網４を備える。飛散防止網４は、上側網部４１と、その下端に連続する第一下側網部４２と第二下側網部４３とからなる。上側網部４１は、軒樋吊り支持具２の上面２０を軒樋１の長手方向に乗り越えて配置される。第一下側網部４２は、隣り合う軒樋吊り支持具２，２間において、少なくとも後耳部１０までを覆うように配置される。第二下側網部４３は、軒樋吊り支持具２の上面２０に沿って配置される。そして、軒樋吊り支持具２に、飛散防止網４の網目部分に引掛けるための引掛け手段５を備える。【選択図】図１
2013067959.tif 000002
【特許請求の範囲】
【請求項１】
軒樋の長手方向に沿って複数の軒樋吊り支持具を鼻隠し板に取り付け、
前記軒樋吊り支持具の下方であり、且つ前記鼻隠し板から屋外側に離れた箇所に、前記軒樋を吊り支持した軒先の水切り構造であって、
前記軒樋本体の屋内側から延設された後耳部の長手方向に沿って配置される長尺帯状の網体で形成された飛散防止網を備え、
前記飛散防止網は、長尺帯状の上側網部と、前記上側網部の下端の長手方向の一部に連続する第一下側網部と、前記上側網部の下端の長手方向の他の一部に連続するとともに前記第一下側網部に隣接して位置する第二下側網部とからなり、
前記上側網部は、前記軒樋吊り支持具の上方に位置されるとともに、前記軒樋吊り支持具の上面を前記軒樋の長手方向に乗り越えて配置され、
前記第一下側網部は、隣り合う前記軒樋吊り支持具間において、少なくとも前記後耳部までを覆うように配置され、
前記第二下側網部は、前記軒樋吊り支持具の上面に沿って、前記第二下側網部の下端部が、前記後耳部よりも屋外側へ位置するように配置され、
前記軒樋と前記軒樋吊り支持具の一方あるいは両方に、前記飛散防止網の網目部分に引掛けるための引掛け手段を備えることを特徴とする軒先の水切り構造。
【請求項２】
前記上側網部の上端部は、前記鼻隠し板に接触することを特徴とする請求項１に記載の軒先の水切り構造。
【請求項３】
軒先から垂下する水切り板に、前記上側網部の網目部分を引掛けるための引掛け手段を備えることを特徴とする請求項１に記載の軒先の水切り構造。
【発明の詳細な説明】
【技術分野】
【０００１】
本発明は、雨水が軒樋と鼻隠し板との間に入り込むことを防止する軒先の水切り構造に関するものである。
【背景技術】
【０００２】
一般的に、軒樋は、鼻隠し板に取り付けた軒樋吊り支持具によって吊り支持されて、鼻隠し板から屋外側に離れた箇所に配設される。この軒樋と鼻隠し板との間に雨水が入り込むことを防止するための軒先の水切り構造が、例えば特許文献１によって提案されている。
【０００３】
この軒先の水切り構造では、図５に示すように、軒樋１本体の屋内側から延設される後耳部１０に、水切りを行うため専用に成形した飛散防止片９が取り付けられている。
【０００４】
軒樋１は軒樋１の長手方向に沿って設けられた複数の軒樋吊り支持具２によって吊り支持されており、隣り合う軒樋吊り支持具２，２間毎に、飛散防止片９が後耳部１０に取り付けられている。
【０００５】
このような構成によって、軒樋１からの跳ね返り水が、軒樋１と鼻隠し板３との間に入り込むことを防止している。
【先行技術文献】
【特許文献】
【０００６】
【特許文献１】特開２００９−９１７９８号公報
【発明の概要】
【発明が解決しようとする課題】
【０００７】
しかし、上述の軒先の水切り構造では、軒樋吊り支持具２で支持した部分の後耳部１０には、軒樋吊り支持具２が邪魔になって、飛散防止片９を取り付けることができない。そのため、この部分から、軒樋１からの跳ね返り水が、軒樋１と鼻隠し板３との間に入り込むおそれがあった。
【０００８】
また、上述の軒先の水切り構造では、水切りを行うため専用の成形物（飛散防止片９）が必要なため、コストが嵩むという問題もあった。
【０００９】
そこで、上記事情を鑑みて、本発明では、水切りを行うため専用の成形物を必要とせず、軒樋吊り支持具を設けた箇所の軒樋と鼻隠し板との間にも、軒樋からの跳ね返り水が入り込むことを抑制できる軒先の水切り構造を提案することを課題とする。
【課題を解決するための手段】
【００１０】
上記課題を解決する本発明の軒先の水切り構造は、軒樋の長手方向に沿って複数の軒樋吊り支持具を鼻隠し板に取り付け、前記軒樋吊り支持具の下方であり、且つ前記鼻隠し板から屋外側に離れた箇所に、前記軒樋を吊り支持した軒先の水切り構造である。そして、前記軒樋本体の屋内側から延設された後耳部の長手方向に沿って配置される長尺帯状の網体で形成された飛散防止網を備える。前記飛散防止網は、長尺帯状の上側網部と、前記上側網部の下端の長手方向の一部に連続する第一下側網部と、前記上側網部の下端の長手方向の他の一部に連続するとともに前記第一下側網部に隣接して位置する第二下側網部とからなる。前記上側網部は、前記軒樋吊り支持具の上方に位置されるとともに、前記軒樋吊り支持具の上面を前記軒樋の長手方向に乗り越えて配置される。前記第一下側網部は、隣り合う前記軒樋吊り支持具間において、少なくとも前記後耳部までを覆うように配置される。前記第二下側網部は、前記軒樋吊り支持具の上面に沿って、前記第二下側網部の下端部が、前記後耳部よりも屋外側へ位置するように配置される。前記軒樋と前記軒樋吊り支持具の一方あるいは両方に、前記飛散防止網の網目部分に引掛けるための引掛け手段を備えることを特徴とする。
【００１１】
また、前記上側網部の上端部は、前記鼻隠し板に接触することが好ましい。
【００１２】
あるいは、軒先から垂下する水切り板に、前記上側網部の網目部分を引掛けるための引掛け手段を備えることが好ましい。
【発明の効果】
【００１３】
本発明の軒先の水切り構造は、水切りを行うため専用の成形物を必要とせず、軒樋吊り支持具を設けた箇所の軒樋と鼻隠し板との間にも、軒樋からの跳ね返り水が入り込むことを抑制できる。
【図面の簡単な説明】
【００１４】
【図１】本発明の第一実施形態の軒先の水切り構造を模式的に示し、（ａ）は側面図であり、（ｂ）は要部の斜視図であり、（ｃ）は飛散防止網を引掛け手段に引掛けた状態を示す斜視図である。
【図２】本発明の第二実施形態の軒先の水切り構造を模式的に示し、（ａ）は側面図であり、（ｂ）は引掛け手段を備えた連結具の図示を省略した要部の斜視図である。
【図３】同上の軒先の水切り構造で用いられる引掛け手段を備えた連結具を示し、（ａ）は斜視図であり、（ｂ）は連結具を介して水切り板に飛散防止網を引掛けた状態の側面図である。
【図４】同上の軒先の水切り構造で用いられる引掛け手段を備えた連結具を示し、（ａ）は斜視図であり、（ｂ）は連結具を介して後耳部に飛散防止網を引掛けた状態の側面図である。
【図５】従来例の軒先の水切り構造を模式的に示した側面図である。
【発明を実施するための形態】
【００１５】
本発明を添付図面に示す実施形態に基づいて説明する。
【００１６】
図１（ａ）には、本発明の第一実施形態の軒先の水切り構造が示されている。本実施形態の軒先の水切り構造は、鼻隠し板３に取り付けられた軒樋吊り支持具２と、軒樋吊り支持具２によって軒樋吊り支持具２の下方に吊り支持された軒樋１と、飛散防止網４とを備える。軒先には、屋根を伝って鼻隠し板３へと雨水が流れることを防止するための水切り板６を屋根から垂下させて設けている。水切り板６は、軒樋１の長手方向に長尺の矩形板からなる。以下においては、鼻隠し板３に対して軒樋吊り支持具２がある方向を屋外側とし、その逆側を屋内側とし、図１（ａ）に示す状態を基準として各構成を説明する。
【００１７】
軒樋１は、軒樋１本体の屋外側から延設される前耳部１１と、軒樋１本体の屋内側から延設される後耳部１０とを備える。前耳部１１は、軒樋１本体の底壁の屋外側端部から立ち上がった屋外側壁１２の上端部から、軒樋１内側に向けて突出する。また、後耳部１０は、軒樋１本体の底壁の屋内側端部から立ち上がった屋内側壁１３の上端部から、軒樋１内側に向けて突出する。前耳部１１と後耳部１０とはそれぞれ、角筒状であり、軒樋吊り支持具２によって支持される。
【００１８】
軒樋吊り支持具２は、鼻隠し板３に固定する固定部２１と、固定部２１より屋外側に突出する支持アーム２２と、支持アーム２２の突出先端部に設けた前支持部２３と、支持アーム２２の基端部の下部に設けた後支持部２４とを備える。後支持部２４は、支持アーム２２の上面２０よりも下方に位置している。前支持部２３によって前耳部１１を支持し、後支持部２４によって後耳部１０を支持して、軒樋１は軒樋吊り支持具２の下方に吊り支持される。この軒樋吊り支持具２は、軒樋１の長手方向に沿って複数、鼻隠し板３に固定される。そのため、軒樋１はその長手方向に亘って、複数の軒樋吊り支持具２によって支持される。
【００１９】
さらに、軒樋吊り支持具２には、支持アーム２２の上面２０の先端側と基端側とに、飛散防止網４の網目部分を引掛けるための引掛け手段５を一体に成形している。引掛け手段５は、本実施形態では、図１（ｃ）に示すように、上下逆Ｌ字状のフックで形成されているが、飛散防止網４の網目部分を引掛けることができるような形状であれば他の形状であってもよい。なお、引掛け手段５は、軒樋吊り支持具２とは別体で成形して、軒樋吊り支持具２に取り付けるものであってもよい。
【００２０】
図１（ｂ）には、軒樋１の長手方向に長尺となる帯状の網体で形成される飛散防止網４の一部が記載されている。図示していないが、本実施形態では、飛散防止網４は、複数の軒樋吊り支持具２に跨って取り付けられている。なお、飛散防止網４は１つの軒樋吊り支持具２のみを軒樋１の長手方向に跨るように取り付けてもよい。つまり、複数の飛散防止網４によって、複数の軒樋吊り支持具２に跨るように取り付けてもよい。飛散防止網４は、受けた水を軒樋１側に誘導できるように屋外側ほど下方に位置するように傾斜させて配設される。飛散防止網４は、長尺帯状の上側網部４１と、上側網部４１の下端の長手方向の一部に連続する第一下側網部４２と、上側網部４１の下端の長手方向の他の一部に連続するとともに第一下側網部４２に隣接して位置する第二下側網部４３とからなる。第一下側網部４２は、第二下側網部４３を挟んだ両側に位置する。
【００２１】
この飛散防止網４は、例えば、市販されている金網や樹脂製網等の網体に、ハサミ等で切り込みを入れることによって形成することができる。
【００２２】
上側網部４１は、図１（ｂ）に示すように、軒樋吊り支持具２の上方に位置されるとともに、軒樋吊り支持具２の上面２０を軒樋１の長手方向に乗り越えて配置される。上側網部４１の上端部は、軒樋１の長手方向に亘って、鼻隠し板３に接触させる。上側網部４１は、その網目部分を利用して、支持アーム２２の基端側の引掛け手段５に引掛けられる。これにより、上側網部４１の上端部が鼻隠し板３に接触した状態を保持できる。
【００２３】
さらに詳しくは、上側網部４１は、鼻隠し板３から後耳部１０の屋外側端までの間の上方を覆う位置に位置する。本実施形態では、支持アーム２２の上面２０のうち、鼻隠し板３側の端部から後耳部１０の屋外側端の上方箇所までを覆う箇所に、上側網部４１は配設されている。この箇所の支持アーム２２の上面２０は、屋外側ほど下方に位置するように傾斜しており、この上面２０に沿わせて上側網部４１を配設することで、上側網部４１は、同じように傾斜する。上側網部４１は、軒樋１の長手方向に並んだ複数の軒樋吊り支持具２を跨いで配設される。これにより、軒樋吊り支持具２上だけでなく、隣り合う軒樋吊り支持具２間の上方も、鼻隠し板３から後耳部１０の屋外側端までの間の上方から覆うことができる。
【００２４】
そして、第一下側網部４２は、隣り合う軒樋吊り支持具２，２間において、少なくとも後耳部１０までを覆うように配置される。本実施形態では、第一下側網部４２の下端部を、上端に後耳部１０を有する屋内側壁１３の内側に位置させている。
【００２５】
さらに詳しくは、本実施形態では、第一下側網部４２は、図１（ａ）に示すように、上側網部４１の下端部から垂下しており、後耳部１０よりも屋外側に位置する。なお、第一下側網部４２は、その上端部が後耳部１０上方またはそれよりも屋内側に位置していてもかまわないが、第一下側網部４２の下端部は、後耳部１０よりも屋外側に位置する。これにより、上側網部４１で受けた水や、第一下側網部４２で受けた水を軒樋１内へと誘導できる。第一下側網部４２は、隣り合う軒樋吊り支持具２，２間毎に配設される。各第一下側網部４２は、この間の略全長（軒樋１の長手方向の略全長）に亘るように配設される。
【００２６】
そして、第二下側網部４３は、軒樋吊り支持具２の上面２０に沿って配置され、第二下側網部４３の下端部が、後耳部１０よりも屋外側に位置するように配置される。第二下側網部４３は、その網目部分を利用して、支持アーム２２の先端側の引掛け手段５に引掛けられる。これにより、飛散防止網４は、その上端部と下端部とが軒樋吊り支持具２に引掛けられ、軒樋１に対する位置が決定される。なお、軒樋１の長手方向に並ぶ複数の軒樋吊り支持具２毎に飛散防止網４を引掛けることによって、飛散防止網４は、屋内外方向及び軒樋１の長手方向に対する位置がより確実に決定される。ここで、全ての軒樋吊り支持具２の上面２０に引掛け手段５を設ける必要はなく、一部だけであってもかまわない。
【００２７】
さらに詳しくは、第二下側網部４３は、軒樋１の長手方向に並ぶ複数の軒樋吊り支持具２の各上面２０に沿わせて配設されている。各第二下側網部４３は、屋外側ほど下方に位置するように傾斜させて配設される。本実施形態では、軒樋吊り支持具２の上面２０が、少なくとも鼻隠し板２側の端部から、後耳部１０よりも屋外側の箇所へとかけて、屋外側ほど下方に位置するように傾斜している。そのため、この上面２０に沿って配設される第二下側網部４３は、屋外側ほど下方に位置するように傾斜させて配設されることになる。これにより、上側網部４１で受けた水や、第二下側網部４３で受けた水を軒樋１内へと誘導できる。また、第二下側網部４３の下端部を、軒樋吊り支持具２の上面２０のうち、後耳部１０よりも屋外側に位置させることによって、第二下側網部４３で受けた水を後耳部１０よりも屋外側に誘導して、軒樋１内へと流下させることができる。
【００２８】
以上のように飛散防止網４を軒樋吊り支持具２に取り付けることで、上側網部４１によって、軒樋１の長手方向の略全長に亘って、複数の軒樋吊り支持具２を跨いで、軒樋１の後耳部１０と鼻隠し板３と間の隙間を上方から覆うことができる。そして、各隣り合う軒樋吊り支持具２、２間では、各第一下側網部４２によって、上側網部４１の下端部から軒樋１の後耳部１０までの間の隙間を屋外側に対して覆うことができる。そして、第二下側網部４３によって、上側網部４１の下端部から各軒樋吊り支持具２の上面２０までの隙間を屋外側に対して覆うことができる。すなわち、本実施形態では、飛散防止網４によって、軒樋１の長手方向の略全長に亘って、軒樋１と鼻隠し板３との間の隙間を屋外側から覆うことができる。これにより、軒樋１からの跳ね返り水や強風時の横殴りの雨が、軒樋吊り支持具２よりも上方の鼻隠し板３に掛かったとしても、それらの水を軒樋１の長手方向に亘って飛散防止網４で受けて軒樋１内に誘導することができる。そのため、軒樋吊り支持具２を設けた箇所の軒樋１と鼻隠し板３との間にも、軒樋１からの跳ね返り水等が入り込むことを抑制できる。
【００２９】
上述した飛散防止網４の設置方法の一例を説明する。まず、軒樋１の長手方向に長尺の帯状の網体（切り込みを入れていない網体）を、軒樋１の長手方向に並ぶ複数の軒樋吊り支持具２の各引掛け手段５に引掛ける。次に、網体の、各軒樋吊り支持具２の軒樋１の長手方向の両端部に対応する箇所にハサミ等で切り込みを入れて、各軒樋吊り支持具２の上面２０以外の部分に対応する箇所の網体を、各隣り合う軒樋吊り支持具２，２間に垂らす。以上のようにすれば、飛散防止網４を簡単に形成できるとともに簡単に軒先に取り付けることができる。
【００３０】
続いて、第二実施形態の軒先の水切り構造について説明する。第一実施形態と同じ構成については、図面に同じ符号をつけて、説明を省略する。
【００３１】
本実施形態では、図２（ａ）に示すように、水切り板６に上側網部４１を引掛け、後耳部１０に第一下側網部４２を引掛けて、飛散防止網４の位置を固定している。そして、第二下側網部４３は、軒樋吊り支持具２の上面２０に沿わせて配置し、第二下側網部４３の下端部が後耳部１０よりも屋外側に位置するように配置している。
【００３２】
図２（ｂ）には、軒樋１の長手方向に長尺となる帯状の網体で形成される飛散防止網４の一部が記載されている。図示していないが、本実施形態では、飛散防止網４は、複数の軒樋吊り支持具２に跨って取り付けられている。なお、飛散防止網４は１つの軒樋吊り支持具２のみを軒樋１の長手方向に跨るように取り付けてもよい。つまり、複数の飛散防止網４によって、複数の軒樋吊り支持具２に跨るように取り付けてもよい。飛散防止網４は、受けた水を軒樋１内に誘導できるように後耳部１０よりも屋外側に位置するように配設される。
【００３３】
さらに詳しくは、本実施形態では、水切き板６の長手方向（軒樋１の長手方向）に複数引掛け手段５を並べて設け、各引掛け手段５に、上側網部４１の網目部分を引掛けて飛散防止網４の上部を保持している。なお、水切り板６における、引掛け手段５を設ける位置は、軒樋吊り支持具２の上方箇所であってもよいし、隣り合う軒樋吊り支持具２，２間の上方箇所であってもよい。そして、各隣り合う軒樋吊り支持具２，２間の後耳部１０に引掛け手段５を設け、各引掛け手段５に第一下側網部４２の網目部分を引掛けて、飛散防止網４の下部を保持する。
【００３４】
以上のように飛散防止網４を水切り板６と軒樋１とに取り付けることで、上側網部４１によって、軒樋１の長手方向に亘って、水切り板６と複数の軒樋吊り支持具２との上下間を屋外側に対して覆うことができる。そして、第一下側網部４２によって、各隣り合う軒樋吊り支持具２、２間における、上側網部４１の下端部から軒樋１の後耳部１０までの間の隙間を屋外側に対して覆うことができる。そして、各第二下側網部４３によって、上側網部４１の下端部から軒樋吊り支持具２の上面２０までの隙間を屋外側に対して覆うことができる。
【００３５】
以上のようにして、本実施形態では、飛散防止網４によって、軒樋１の長手方向略全長に亘って、軒樋１と鼻隠し板３との間の隙間を屋外側から覆うことができる。そのため、軒樋１からの跳ね返り水や強風時の横殴りの雨を、軒樋１の長手方向に亘って、飛散防止網４で受けて軒樋１内に誘導することができる。これにより、軒樋吊り支持具２を設けた箇所の軒樋１と鼻隠し板３との間にも、軒樋１からの跳ね返り水が入り込むことを抑制できる。加えて、本実施形態では、上側網部４１によって水切り板６と軒樋吊り支持具２との間を屋外側に対して覆えるので、軒樋１からの跳ね返り水や強風時の横殴りの雨が、軒樋吊り支持具２よりも上方の鼻隠し板３に掛かることも抑制できる。これにより、鼻隠し板３が水分によって腐食することを抑制できる。
【００３６】
なお、水切り板６に上側網部４１を引掛ける構造や、後耳部１０に第一下側網部４２を引掛ける構造は特に限定しないが、本実施形態では、図３（ａ）に示す引掛け手段５を備えた水切り板連結具７を用いて、水切り板６に上側網部４１を引掛けている。そして、図４（ａ）に示す引掛け手段５を備えた後耳連結具８を用いて、後耳部１０に第一下側網部４２を引掛けている。以下、これらの連結具７，８は、図２（ａ）に示す状態を基準として説明を行う。
【００３７】
水切り板連結具７は、図３（ｂ）に示すように、屋外側に水切り板６の下端部を嵌め込むための嵌め込み部７０を備えており、屋内側に上側網部４１の網目部分に引掛けるための引掛け手段５を備えている。そして、嵌めこんだ水切り板６の下端部の抜け止めを行うための抜け止め部７１を備えている。
【００３８】
後耳連結具８は、図４（ｂ）に示すように、屋内側に後耳部１０を嵌め込むための嵌め込み部８０を備えており、屋外側に第一下側網部４２の網目部分に引掛けるための引掛け手段５を備えている。そして、嵌めこんだ後耳部１０の抜け止めを行うための抜け止め部８１を備えている。
【００３９】
上述した水切り板連結具７を水切り板６の下端部に嵌め込み、後耳連結具８を後耳部１０に嵌め込むことで、水切り板６と後耳部１０とに、引掛け手段５を設けることができる。これにより、水切り板６や後耳部１０に引掛け手段５を一体成形していなくても後付けで引掛け手段５を設けることができる。なお、水切り板連結具７と後耳連結具８は、図３及び図４に示す形状に限定されない。
【００４０】
上述した飛散防止網４の設置方法の一例を説明する。まず、軒樋１の長手方向に長尺の帯状の網体（切込みを入れていない網体）の上部を、水切り板６の長手方向に並ぶ複数の引掛け手段５に引掛ける。次に、この網体を垂らして、軒樋１の長手方向に並ぶ複数の軒樋吊り支持具２の、軒樋１の長手方向の両端部に対応する箇所にそれぞれハサミ等で切り込みを入れる。そして、隣り合う軒樋吊り支持具２，２間に垂れる網体を後耳部１０に設けた引掛け手段５に引掛ける。以上のようにすれば、飛散防止網４を簡単に形成できるとともに簡単に軒先に取り付けることができる。
【００４１】
以上まとめると、上述した第一及び第二実施形態は、軒樋１の長手方向に沿って複数の軒樋吊り支持具２を鼻隠し板３に取り付け、軒樋吊り支持具２の下方であり、且つ鼻隠し板３から屋外側に離れた箇所に、軒樋１を吊り支持した軒先の水切り構造である。この軒先の水切り構造は、軒樋１本体の屋内側から延設された後耳部１０の長手方向に沿って配置される帯状の網体で形成された飛散防止網４を備える。飛散防止網４は、長尺帯状の上側網部４１と、上側網部４１の下端の長手方向の一部に連続する第一下側網部４２と、上側網部４１の下端の長手方向の他の一部に連続するとともに第一下側網部４２に隣接して位置する第二下側網部４３とからなる。上側網部４１は、軒樋吊り支持具２の上方に位置されるとともに、軒樋吊り支持具２の上面２０を軒樋１の長手方向に乗り越えて配置される。第一下側網部４２は、隣り合う軒樋吊り支持具２，２間において、少なくとも後耳部１０までを覆うように配置される。第二下側網部４３は、軒樋吊り支持具２の上面２０に沿って、第二下側網部４３の下端部が、後耳部１０よりも屋外側へ位置するように配置される。軒樋１と軒樋吊り支持具２の一方あるいは両方に、飛散防止網４の網目部分に引掛けるための引掛け手段５を備える。
【００４２】
このような構成とすることで、市販されている網体に切り込みを入れるだけで、上側網部４１と第一下側網部４２と第二下側網部４３とを備えた飛散防止網４を形成できる。そして、この飛散防止網４の網目部分を、軒樋１や軒樋吊り支持具２に設けたクリップ等の引掛け手段５に引掛けることで、飛散防止網４を取り付けることができる。すなわち、第一及び第二実施形態では、従来例のように水切りのため専用の成形物を必要としないため、コストを抑えることができ、また、飛散防止網４の網目部分を引掛け手段５に引掛けるだけで取付けができて、取り付け施工も簡単である。
【００４３】
加えて、第一及び第二実施形態では、上側網部４１によって、軒樋吊り支持具２の上方で、軒樋１と鼻隠し板３との間を屋外側から覆うことができる。そして、第一下側網部４２によって、隣り合う軒樋吊り支持具２，２間において、上側網部４１の下端部から後耳部１０までを覆うことができる。そして、第二下側網部４３によって、上側網部４１の下端部から軒樋吊り支持具２の上面２０までの間を、後耳部１０よりも屋外側まで覆うことができる。よって、第一及び第二実施形態では、飛散防止網４によって、軒樋１の長手方向に亘って、軒樋１と鼻隠し板３との間の隙間を屋外側から覆うことができる。これにより、軒樋１からの跳ね返り水や強風時の横殴りの雨を、軒樋１の長手方向に亘って、飛散防止網４で受けて軒樋１内に誘導することができる。また、第二下側網部４３で受けた水は、後耳部１０よりも屋外側から軒樋１内に誘導することができる。そのため、第一及び第二実施形態では、軒樋吊り支持具２を設けた箇所の軒樋１と鼻隠し板３との間にも、軒樋１からの跳ね返り水が入り込むことを抑制できる。
【００４４】
また、上述した第一実施形態の軒先の水切り構造では、上側網部４１の上端部は、鼻隠し板３に接触している。
【００４５】
このような構成とすることで、軒樋１からの跳ね返り水や強風時の横殴りの雨が、軒樋吊り支持具２上方の鼻隠し板３に掛かった場合に、その水を上側網部４１に伝わらせて、軒樋１内へと誘導することができる。
【００４６】
また、上述した第二実施形態の軒先の水切り構造では、軒先から垂下する水切り板６に、上側網部４１の網目部分を引掛けるための引掛け手段５を備えている。
【００４７】
このような構成とすることで、軒先から垂下する水切り板６と、軒樋吊り支持具２の上面２０との間を屋外側に対して飛散防止網４によって覆うことができる。これにより、軒樋１からの跳ね返り水や強風時の横殴りの雨が、水切り板６と軒樋吊り支持具２との間から鼻隠し板３に掛かることも防止でき、鼻隠し板３が雨水による腐食することを抑制できる。
【００４８】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４９】
１      軒樋
１０    後耳部
２      軒樋吊り支持具
２０    上面
３      鼻隠し板
４      飛散防止網
４１    上側網部
４２    第一下側網部
４３    第二下側網部
５      引掛け手段
６      水切り板
【図１】
2013067959.tif 000003
【図２】
2013067959.tif 000004
【図３】
2013067959.tif 000005
【図４】
2013067959.tif 000006
【図５】
2013067959.tif 000007